(57)【要約】      （修正有）【課題】ＡＰ機能のみでなくＳＴＡ機能も提供するための、無線ルータを提供する。【解決手段】無線リンクを介して端末装置に接続され、端末装置の無線アクセスを実施するように構成された、無線アクセスポイント（ＡＰ）モジュールと、無線リンクを介して、固定ネットワーク内の無線ＡＰに接続され、固定ネットワーク内の無線ＡＰを使用することによって端末装置をインターネットに接続するように構成された、ステーション（ＳＴＡ）モジュールと、無線リンクを介してモバイルネットワーク内のアクセス装置に接続され、モバイルネットワーク内のアクセス装置を使用することによって端末装置をインターネットに接続するように構成された、無線モデムモジュールとを含む、無線ルータが提供される。【選択図】図４
2014003676.tif 000002
【特許請求の範囲】
【請求項１】
無線リンクを介して端末装置に接続され、前記端末装置の無線アクセスを実施するように構成された、無線アクセスポイント（ＡＰ）モジュールと、
無線リンクを介して固定ネットワーク内の無線ＡＰに接続され、前記無線ＡＰを使用することによって前記端末装置をインターネットに接続するように構成された、ステーション（ＳＴＡ）モジュールと、
無線リンクを介してモバイルネットワーク内のアクセス装置に接続され、前記アクセス装置を使用することによって前記端末装置をインターネットに接続するように構成された、無線モデムモジュールと、
前記無線ＡＰモジュールに接続され、前記端末装置がインターネットに前記ＳＴＡモジュール又は前記無線モデムモジュールを用いて接続されることを指示する前記端末装置のルーティング命令を受信し、前記ルーティング命令に従って前記端末装置をインターネットに接続するために前記ＳＴＡモジュール又は前記無線モデムモジュールを選択するように構成された、設定管理モジュールと
を備えた、無線ルータ。
【請求項２】
前記端末装置又はインターネットからパケットを受信し、前記パケットの宛先アドレスに従って前記端末装置からの前記パケットをインターネットにルーティングする、又は、前記パケットの宛先アドレスに従ってインターネットからの前記パケットを前記端末装置にルーティングするように構成された、ルーティングモジュール
を更に備える、請求項１に記載の無線ルータ。
【請求項３】
前記ルーティングモジュールは、メディアアクセス制御（ＭＡＣ）アドレスに従って判定を実行し、宛先ＭＡＣアドレスがＭＡＣテーブル内にある場合、前記パケットをローカルネットワークに転送し、宛先ＭＡＣアドレスがＭＡＣテーブル内にない場合、前記パケットをインターネットプロトコル（ＩＰ）レイヤに送信し、前記ルーティングモジュールは、ＩＰレイヤ上の宛先ＩＰアドレスに従って判定を実行し、無線ルータがアクセスされるべきであると判定した場合、前記パケットが処理されるように、トランスミッションレイヤに送信し、又は、外部ネットワークがアクセスされるべきであると判定した場合、ＩＰデータパケットを、ＷＡＮインタフェースにルーティングする
請求項１又は２に記載の無線ルータ。
【請求項４】
前記無線ＡＰモジュールは、ローカルエリアネットワーク（ＬＡＮ）インタフェースを使用することによって前記端末装置に接続され、
前記ＳＴＡモジュールは、ワイドエリアネットワーク（ＷＡＮ）インタフェースを使用することによって固定ネットワーク内の前記無線ＡＰに接続され、
前記無線モデムモジュールは、ＷＡＮインタフェースを使用することによってモバイルネットワーク内の前記アクセス装置に接続される、
請求項１〜３のいずれか一項に記載の無線ルータ。
【請求項５】
無線リンクを介して端末装置を接続し、前記端末装置に無線アクセスサービスを提供し、
無線リンクを介して固定ネットワーク内の無線アクセスポイント（ＡＰ）を接続し、無線リンクを介してモバイルネットワーク内のアクセス装置を接続し、
前記端末装置がインターネットに前記ＳＴＡモジュール又は前記無線モデムモジュールを用いて接続されることを指示する前記端末装置のルーティング命令を受信し、前記ルーティング命令に従って前記端末装置をインターネットに接続するために前記ＳＴＡモジュール又は前記無線モデムモジュールを選択すること
を含む、無線ルーティング方法。
【請求項６】
無線ルータと、固定ネットワーク内の無線アクセスポイント（ＡＰ）と、モバイルネットワーク内のアクセス装置と備え、端末装置が無線リンクを介して前記無線ルータに接続され、前記無線ルータは、無線リンクを介して固定ネットワーク内の前記無線ＡＰに、及び、無線リンクを介してモバイルネットワーク内の前記アクセス装置に接続され、
前記無線ルータは、前記端末装置に無線アクセスサービスを提供するために無線リンクを介して前記端末装置に接続し、前記固定ネットワークの前記無線ＡＰを使用することによって前記端末装置をインターネットに接続するか、又は、前記モバイルネットワークの前記アクセス装置を使用することによって前記端末装置をインターネットに接続するように構成され、
前記端末装置は、前記無線ルータにルーティング命令を送信するように構成され、前記ルーティング命令は、前記端末装置が、ステーション（ＳＴＡ）モジュール、又は無線モデムモジュールを使用することによってインターネットに接続されることを指示し、
前記無線ルータは、前記端末装置の前記ルーティング命令を受信し、前記ＳＴＡモジュール又は前記無線モデムモジュールを選択して前記端末装置をインターネットに接続するように更に構成される、
無線ルーティングシステム。
【請求項７】
前記無線ルータは、前記端末装置又はインターネットからパケットを受信し、前記パケットの宛先アドレスに従って、前記端末装置からの前記パケットをインターネットにルーティングするか、又は、インターネットからの前記パケットを前記端末装置にルーティングするように更に構成される、
請求項６に記載の無線ルーティングシステム。
【発明の詳細な説明】
【技術分野】
【０００１】
本発明は、通信技術の分野に関し、特に、無線ルータ、無線ルーティング方法、及び無線ルーティングシステムに関する。
【背景技術】
【０００２】
無線ローカルエリアネットワーク（ＷＬＡＮ）が広く適用されるにつれて、家庭において、公共の場所において、又は個人によって使用される、ますます多くの共有ネットワーク装置が、無線アクセス技術を採用する。一般に、固定ネットワーク事業者（ｆｉｘｅｄ  ｎｅｔｗｏｒｋ  ｏｐｅｒａｔｏｒ）は、インターネットを、有線で、固定位置に接続し、次に、ＷＬＡＮを使用することによって、アクセスポイント（ＡＰ）装置を形成する。個人端末は、無線ＡＰに接続することによって、インターネットサービスを取得する。モバイル事業者（ｍｏｂｉｌｅ  ｏｐｅｒａｔｏｒ）は、その他のユーザにネットワークアクセスサービスを提供するために、２Ｇ／３Ｇ／ロングタームエボリューション（ＬＴＥ）／ワールド・インターオペラビリティ・フォー・マイクロウェーブ・アクセス（Ｗｉｍａｘ）ブロードバンドモデムを使用することによって、無線ＡＰを統合する。
【発明の概要】
【発明が解決しようとする課題】
【０００３】
全ての端末製品は、モバイルネットワーク及び固定ネットワークに依存する必要がある。しかし、固定ネットワークのホットスポット、及びモバイルネットワークのホットスポットのカバレージは、完全に包括的とはいえない場合がある。固定ネットワークのホットスポットを有する場所は、モバイルネットワークを有さない場合があり、逆もまた同様である。従って、固定ネットワーク端末のみでも、モバイル端末のみでも、ユーザがいつでもどこでもインターネットにアクセスするという要求を満たすことはできない。
【０００４】
加えて、モバイルネットワークの料金は過度に高いため、ユーザは、固定ネットワークが存在する場合、料金を減らすために、ＷＬＡＮ  ＡＰがアクセスのために使用されることを、そして、モバイルネットワークは、固定ネットワークが存在しない場合に、ネットワークアクセスのために使用されるのみであることを望む。従って、ユーザの要求を満たすための、統合された端末が必要とされている。
【課題を解決するための手段】
【０００５】
本発明の実施形態は、ネットワークアクセス手法を柔軟に選択できないという、従来技術における問題を解決するための、無線ルータ、無線ルーティング方法、及び無線ルーティングシステムを提供する。
【０００６】
一態様において、本発明の一実施形態は、無線ルータを提供し、この無線ルータは、無線リンクを介して端末装置に接続され、端末装置の無線アクセスを実施するように構成された、無線ＡＰモジュールと、無線リンクを介して固定ネットワーク内の無線ＡＰに接続され、固定ネットワーク内の無線ＡＰを使用することによって端末装置をインターネットに接続するように構成された、ステーション（ＳＴＡ）モジュールと、無線リンクを介してモバイルネットワーク内のアクセス装置に接続され、モバイルネットワーク内のアクセス装置を使用することによって端末装置をインターネットに接続するように構成された、無線モデムモジュールと、無線ＡＰモジュールに接続され、端末装置がインターネットにＳＴＡモジュール又は無線モデムモジュールを用いて接続されることを指示する端末装置のルーティング命令を受信し、ルーティング命令に従って端末装置をインターネットに接続するためにＳＴＡモジュール又は無線モデムモジュールを選択するように構成された設定管理モジュールとを含む。
【０００７】
別の態様において、本発明の一実施形態は、無線ルーティング方法も提供し、この方法は、無線リンクを介して端末装置を接続し、端末装置に無線アクセスサービスを提供し、無線リンクを介して、固定ネットワーク内の無線アクセスポイント（ＡＰ）を接続し、無線リンクを介して、モバイルネットワーク内のアクセス装置を接続し、端末装置がインターネットにＳＴＡモジュール又は無線モデムモジュールを用いて接続されることを指示する端末装置のルーティング命令を受信し、ルーティング命令に従って端末装置をインターネットに接続するためにＳＴＡモジュール又は無線モデムモジュールを選択することを含む。
【０００８】
更に別の態様において、本発明の一実施形態は、無線ルーティングシステムを更に提供し、このシステムは、無線ルータと、固定ネットワーク内の無線アクセスポイント（ＡＰ）と、モバイルネットワーク内のアクセス装置とを含み、端末装置が無線リンクを介して無線ルータに接続され、無線ルータは、無線リンクを介して、固定ネットワーク内の無線ＡＰ、及びモバイルネットワーク内のアクセス装置に接続され、無線ルータは、端末装置に無線アクセスサービスを提供するために、無線リンクを介して端末装置に接続されるように構成され、そして、固定ネットワークの無線ＡＰを使用することによって端末装置をインターネットに接続するか、又は、モバイルネットワークのアクセス装置を使用することによって端末装置をインターネットに接続し、端末装置は、無線ルータにルーティング命令を送信するように構成され、ルーティング命令は、端末装置が、ステーション（ＳＴＡ）モジュール、又は無線モデムモジュールを使用することによってインターネットに接続されることを指示し、無線ルータは、端末装置のルーティング命令を受信し、ＳＴＡモジュール又は無線モデムモジュールを選択して端末装置をインターネットに接続するように構成される。
【発明の効果】
【０００９】
本発明の実施形態による無線ルータ、無線ルーティング方法、及び無線ルーティングシステムにおいて、ＷＬＡＮ  ＳＴＡモジュールと、ＡＰモジュールと、無線モデムチップとは、ＡＰ機能のみでなくＳＴＡ機能も提供するための、無線ルータを構築する。他の端末装置が、本発明の無線ルータに接続されてもよく、そして、インターネットにアクセスするために、固定ネットワークのホットスポット、又は無線モデムを選択する。この技術的解決法は、ユーザが、無線ルータを使用することにより、ＡＰ方法、又は無線モデムダイヤルアップ方法を柔軟に選択することによってネットワークにアクセスすることができないという問題を解決する。固定ネットワークのホットスポットが存在する場合、ユーザは、ダイヤルアップによってネットワークにアクセスするために、固定ネットワークのホットスポットをなるべく選択してもよく、これにより、ユーザ料金が減少し、モバイルルータの使用範囲が拡大される。
【図面の簡単な説明】
【００１０】
【図１】本発明の実施形態による無線ルーティングシステムの概略図である。
【図２】本発明の実施形態による、第１の動作モードにおける別の無線ルーティングシステムの概略図である。
【図３】本発明の実施形態による、第２の動作モードにおける別の無線ルーティングシステムの概略図である。
【図４】本発明の実施形態による無線ルーティングシステムの概略図である。
【図５】本発明の実施形態による無線ルーティング方法の全体のフローチャートである。
【発明を実施するための形態】
【００１１】
本発明の目的、技術的解決法、及び利点をよりわかりやすくするために、本発明の実施形態の技術的解決法について、本発明の実施形態による添付の図面を参照して、以下に明確に説明する。説明される実施形態は、本発明の全ての実施形態ではなく、一部にすぎないということは明らかである。当業者によって、本発明の実施形態に基づいて、創造的な活動なしに得られる他の全ての実施形態は、本発明の保護範囲内に含まれる。
【００１２】
本発明の実施形態による添付の図面において、無線ルータは、本発明の一実施形態による装置であり、携帯情報端末（Ｐｅｒｓｏｎａｌ  Ｄｉｇｉｔａｌ  Ａｓｓｉｓｔａｎｔ）（ＰＤＡ）及びノートブックコンピュータは、ユーザ端末であり、固定ネットワーク内の無線ＡＰは、固定ネットワーク事業者によって提供されるホットスポットであり、基地局は、モバイル事業者によって提供される装置を意味する。
【００１３】
図１は、本発明の一実施形態による無線ルーティングシステムの概略図である。図１における無線ルータは、固定ネットワーク及びモバイルネットワークに同時に接続されてもよく、無線ルータは、デジタル加入者線（ＤＳＬ）を使用することなどによって、有線で固定ネットワークに接続され、モデムモジュールを使用することによって、無線ネットワークに接続される。無線ルータは、インターネットアクセスサービスを提供するためのＷＬＡＮ  ＡＰとして機能し、この端末を使用することによって、ノートブックコンピュータ又はゲーム装置などの、ＷＬＡＮユーザ端末は、インターネットにアクセスしてもよい。
【００１４】
図１に示すシステムを使用することによる、インターネットへのアクセスの原理は、以下の通りである。
【００１５】
最初に、無線ルータのＡＰモジュールが、ホットスポットサービスを提供する。ＰＤＡ及びノートブックコンピュータなどの端末がネットワークにアクセスする場合、端末は、最初にＡＰモジュールに接続される。具体的には、ＰＤＡ及びノートブックコンピュータなどの端末は、ＳＴＡとして機能し、既存のＷＬＡＮ技術を使用することによって、ＡＰモジュールに接続される。無線ルータ内でのＡＰモジュールのインタフェースは、ローカルエリアネットワーク（ＬＡＮ）インタフェースであり、ＰＤＡのＩＰデータパケットは、ＬＡＮインタフェースに送信される。
【００１６】
次に、ユーザ端末は、設定管理モジュール（ｃｏｎｆｉｇｕｒａｔｉｏｎ  ｍａｎａｇｅｍｅｎｔ  ｍｏｄｕｌｅ）を使用することによって、インターネットに接続するためのワイドエリアネットワーク（ＷＡＮ）インタフェースＷＡＮ１又はＷＡＮ２を選択する。ここで、ＷＡＮ１は、ＤＳＬモデムと中央局装置（ｃｅｎｔｒａｌ  ｏｆｆｉｃｅ  ｅｑｕｉｐｍｅｎｔ）との間のインタフェースであり、ＷＡＮ２は、無線モデムと基地局との間のインタフェースである。具体的には、ユーザ端末は、ブラウザを使用することによって設定管理モジュールに接続される。次に、ユーザ端末は、ウェブサイト上で提供されるメニューをクリックすることによって、インターネットに接続するためのＷＡＮ１又はＷＡＮ２を選択する。
【００１７】
最後に、インターネットに接続するためにＷＡＮ１を選択する場合、ユーザは、ＤＳＬを使用することにより、ダイヤルアップアクセスによって、すなわち、有線でネットワークにアクセスする。インターネットに接続するためにＷＡＮ２を選択する場合、ユーザは、ユーザによって設定されたダイヤルアップパラメータを使用することにより、無線モデムモジュールを使用することによって無線でインターネットに接続される。
【００１８】
図１に示すシステムにおける無線ルータは、ＤＳＬなどの固定ネットワークを選択してもよく、そして、より低い料金を有するネットワークアクセス手法を選択するために、１つの位置において使用されてもよい。
【００１９】
図２及び図３は、本発明の一実施形態による、別の無線ルーティングシステムの２つの動作モードの概略図である。無線ルータは、インテリジェント携帯電話内に組み込まれたＷＬＡＮチップであってもよい。ＷＬＡＮチップは、ＳＴＡモード又はＡＰモードをサポートしてもよい。無線ルータの使用中、ＷＬＡＮ動作モードはユーザコマンドを実行することによって切り替えられる。ＳＴＡモードが使用される場合、固定ネットワークによって提供されるホットスポットを検索し、検索されたホットスポットがインターネットにアクセスするために採用される。ホットスポットが存在しない場合、ダイヤルアップによってネットワークにアクセスするために、モデムを採用してもよい。
【００２０】
図２は、システムのＳＴＡモードの概略図である。図２に示すように、無線ルータがＳＴＡモードに切り替えられた場合、アプリケーションモジュールがＷＡＮインタフェースに接続される。そして、ＳＴＡモジュールを使用することによって、外部ＡＰに接続される。これにより、ネットワークアクセス機能が実施される。しかし、無線ルータを、他の端末装置にネットワークアクセス機能を提供するために、ダウンリンク方向における他の端末装置に接続することはできない。このような場合、無線ルータのアプリケーションプログラムのみが、ネットワークにアクセスすることができる。
【００２１】
図３は、システムのＡＰモードの概略図である。図３に示すように、無線ルータがＡＰモードに切り替えられた場合、ＰＤＡ及びノートブックコンピュータなどの端末装置がＡＰモジュールを使用することによって、無線ルータのＬＡＮインタフェースに接続される。端末装置は、ルーティングモジュール（ｒｏｕｔｅ  ｍｏｄｕｌｅ）を使用することによってＷＡＮにデータを送信し、無線モデムダイヤルアップによってネットワークアクセス機能を実施する。無線ルータのアプリケーションプログラムも、ルーティングモジュールを使用することによって、ＷＡＮインタフェースからネットワークにアクセスする。
【００２２】
図２及び図３に示すシステムのＷＬＡＮチップのＡＰモジュールとＳＴＡモジュールとを、同時に動作させることはできない。ＳＴＡモードに切り替えられた場合、ＷＬＡＮチップは、より低い料金を有する固定ネットワーク内の無線ＡＰを使用することによって、ネットワークにアクセスしてもよい。しかし、他の装置にネットワークアクセス機能を提供するために、ＰＤＡ及びノートブックコンピュータなどのデジタル装置に接続することはできない。このような場合、ＷＬＡＮチップのアプリケーションプログラムのみが、ネットワークにアクセスすることができる。ＡＰモードに切り替えられた場合、ＷＬＡＮチップは、他の装置にネットワークアクセス機能を提供してもよい。しかし、より高い料金を有する無線アクセス方法を使用することによってネットワークにアクセスすることのみが可能であり、より低い料金を有する固定ネットワーク内の無線ＡＰを使用することによってネットワークにアクセスすることはできない。
【００２３】
本発明の一実施形態は、無線ルーティングシステムを提供する。図４は、本発明の実施形態による無線ルーティングシステムの概略図である。図４に示すように、この実施形態による無線ルーティングシステムは、端末装置１０と、無線ルータ２０と、固定ネットワーク内の無線ＡＰ３０と、モバイルネットワーク内のアクセス装置４０とを含む。端末装置１０は、無線リンクを介して無線ルータ２０に接続される。無線ルータ２０は、無線リンクを介して、固定ネットワーク内の無線ＡＰ３０、及びモバイルネットワーク内のアクセス装置４０に接続される。
【００２４】
この実施形態において、無線ルータ２０は、端末装置に無線アクセスサービスを提供するために、無線リンクを介して端末装置に接続し、固定ネットワーク内の無線ＡＰを使用することによって端末装置をインターネットに接続するか、又は、モバイルネットワーク内のアクセス装置を使用することによって端末装置をインターネットに接続するように構成される。
【００２５】
あるいは、この実施形態において、端末装置１０は、無線ルータ２０に、ルーティング命令を送信するように構成される。ルーティング命令は、端末装置が、ＳＴＡモジュール、又は無線モデムモジュールを使用することによってインターネットに接続されることを指示する。あるいは、この実施形態における端末装置１０は、ハイパーテキスト転送プロトコル（ＨＴＴＰ）（但し、本発明はこれに限定されない）を介して、ルーティング命令を無線ルータ２０の設定管理モジュールに送信する。この実施形態における無線ルータ２０は、端末装置のルーティング命令を受信し、ＳＴＡモジュール又は無線モデムモジュールを選択して、端末装置をインターネットに接続するように構成される。
【００２６】
あるいは、この実施形態の無線ルータ２０はまた、端末装置１０又はインターネットからパケットを受信し、パケットの宛先アドレスに従って端末装置１０からのパケットをインターネットにルーティングするか、又は、インターネットからのパケットを端末装置１０にルーティングするように構成されてもよい。
【００２７】
本発明の実施形態によるシステムにおいて、ＷＬＡＮ  ＳＴＡチップと、ＡＰモジュールと、無線モデムチップとは、ＡＰ機能のみでなくＳＴＡ機能も提供するための無線ルータを構築する。他の端末装置が、この実施形態の無線ルータに接続されてもよく、そして、インターネットにアクセスするために、固定ネットワーク内のホットスポット、又は無線モデムを選択してもよい。このシステムは、ユーザが無線ルータを使用することにより、ＡＰ方法、又は無線モデムダイヤルアップ方法を柔軟に選択することによってネットワークにアクセスすることができないという問題を解決する。固定ネットワーク内のホットスポットが存在する場合、ユーザは、ダイヤルアップによってネットワークにアクセスするためにホットスポットを選択してもよく、これによりユーザ料金が減少し、モバイルルータの使用範囲が拡大される。
【００２８】
本発明の一実施形態は、無線ルータを更に提供する。図４に示すように、本発明の実施形態による無線ルータ２０は、無線リンクを介して端末装置に接続され、端末装置の無線アクセスを実施するように構成された、無線ＡＰモジュール２０１と、無線リンクを介して固定ネットワーク内の無線ＡＰに接続され、固定ネットワーク内の無線ＡＰを使用することによって端末装置をインターネットに接続するように構成された、ＳＴＡモジュール２０２と、無線リンクを介してモバイルネットワーク内のアクセス装置に接続され、モバイルネットワーク内のアクセス装置を使用することによって端末装置をインターネットに接続するように構成された、無線モデムモジュール２０３とを含む。この実施形態において、無線ＡＰモジュール２０１及びＳＴＡモジュール２０２の両方の機能は、ＷＬＡＮチップを使用することによって実施されてもよい。
【００２９】
あるいは、ネットワークアクセスルーティング機能をユーザに提供するために、本発明の実施形態による無線ルータ２０は、無線ＡＰモジュールに接続し、端末装置のルーティング命令を受信し、端末装置をインターネットに接続するためにＳＴＡモジュール又は無線モデムモジュールを選択するように構成された、設定管理モジュール２０４を更に含む。
【００３０】
あるいは、この実施形態による無線ルータ２０は、固定ネットワークの無線ＡＰが存在する場合、端末装置をインターネットに接続するために、固定ネットワーク内の無線ＡＰをなるべく選択するように更に構成される。
【００３１】
あるいは、本発明の実施形態による無線ルータ２０は、端末装置又はインターネットからパケットを受信し、パケットの宛先アドレスに従って端末装置からのパケットをインターネットにルーティングするか、又は、インターネットからのパケットを端末装置にルーティングするように構成された、ルーティングモジュール２０５を更に含む。具体的には、ルーティングモジュールは、メディアアクセス制御（ＭＡＣ）アドレスに従って判定を実行し、宛先ＭＡＣアドレスがＭＡＣテーブル内にある場合、パケットをローカルネットワークに転送し、宛先ＭＡＣアドレスがＭＡＣテーブル内にない場合、パケットをインターネットプロトコル（ＩＰ）レイヤに送信する。ルーティングモジュールは、ＩＰレイヤ上の宛先ＩＰアドレスに従って判定を実行し、無線ルータがアクセスされるべきである場合、パケットを、処理されるように、トランスミッションレイヤに送信し、又は、外部ネットワークがアクセスされるべきである場合、ＩＰデータパケットを、ＷＡＮインタフェースにルーティングする。
【００３２】
あるいは、本発明の実施形態による、無線ルータの無線ＡＰモジュール２０１は、ＬＡＮインタフェースを使用することによって、端末装置に接続される。ＳＴＡモジュール２０２は、ＷＡＮインタフェースを使用することによって、固定ネットワーク内の無線ＡＰに接続される。無線モデムモジュール２０３は、ＷＡＮインタフェースを使用することによって、モバイルネットワーク内のアクセス装置に接続される。
【００３３】
本発明の実施形態による無線モバイルルータにおいては、２つのＷＬＡＮチップ（１つはＡＰとして働き、もう１つはＳＴＡとして働く）が採用される。従って、無線ルータは、ローカルＳＴＡにアクセスサービスを提供するためのＡＰとして機能するだけでなく、ネットワークアクセス機能を実施するために、インターネットサービスを提供するＡＰに接続される、ＳＴＡとして機能させてもよい。又は、インターネットにアクセスするために、固定ネットワークのホットスポット、又は無線モデムを選択してもよい。無線ルータは、ＡＰ方法、又は無線モデムダイヤルアップ方法を柔軟に選択することによって、ネットワークにアクセスしてもよい。固定ネットワークのホットスポットが存在する場合、無線ルータは、ダイヤルアップによってネットワークにアクセスするために、固定ネットワークのホットスポットをなるべく選択してもよく、これにより、ユーザ料金が減少し、モバイルルータの使用範囲が拡大される。
【００３４】
一実施形態において、本発明は、無線ルーティング方法を更に提供し、この方法の実施対象は、前述の実施形態における無線ルータ２０である。図５は、本発明の実施形態による無線ルーティング方法の全体のフローチャートである。図５に示すように、この方法は以下のステップを含む。
【００３５】
ステップＳ５０１：無線リンクを介して端末装置に接続し、端末装置に無線アクセスを提供する。
【００３６】
ステップＳ５０２：無線リンクを介して固定ネットワーク内の無線ＡＰに接続し、無線リンクを介してモバイルネットワーク内のアクセス装置に接続する。
【００３７】
ステップＳ５０３：固定ネットワーク内の無線ＡＰ、及びモバイルネットワーク内のアクセス装置のうちの１つを選択して、端末装置をインターネットに接続する。
【００３８】
あるいは、ステップＳ５０３は、端末装置のルーティング命令を受信し、ルーティング命令に従って、固定ネットワーク内の無線ＡＰ、又はモバイルネットワーク内のアクセス装置を選択して、端末装置をインターネットに接続することを含んでもよい。
【００３９】
あるいは、ステップＳ５０３は、固定ネットワーク内の無線ＡＰが存在する場合、無線ＡＰをなるべく選択して、端末装置をインターネットに接続することを更に含んでもよい。
【００４０】
あるいは、無線ルーティング方法は、以下のステップを更に含んでもよい。
【００４１】
ステップＳ５０４：端末装置又はインターネットから、パケットを受信する。
【００４２】
ステップＳ５０５：パケットの宛先アドレスに従って、端末装置からのパケットをインターネットにルーティングする、又は、パケットの宛先アドレスに従って、インターネットからのパケットを端末装置にルーティングする。
【００４３】
本発明の実施形態による無線ルーティング方法の手順を、図４におけるシステムの概略図と組み合わせて説明するための一例を以下に示す。
【００４４】
ステップ１：無線ルータ２０のＡＰモジュール２０１が、ホットスポットサービスを提供する。ネットワークにアクセスする場合、ユーザのＰＤＡ又はノートブックコンピュータなどの端末装置１０が、ＡＰモジュール２０１に接続される。無線ルータ２０内でのＡＰモジュール２０１のインタフェースは、ＬＡＮインタフェースである。端末装置のデータパケットが、ＬＡＮインタフェースに送信される。
【００４５】
ステップ２：ＬＡＮインタフェースを使用することによって、端末装置１０を無線ルータに接続し、設定管理モジュール２０４を使用することによって、インターネットにアクセスするためのインタフェースＷＡＮ１又はインタフェースＷＡＮ２を選択する。
【００４６】
ステップ３：ユーザが、インターネットに接続するためにＷＡＮ１を選択した場合、ＳＴＡモジュール２０２が、ユーザ設定パラメータに従って、指定されたＡＰに接続される。ＳＴＡモジュール２０２は、予め設定されたユーザ名、及び予め設定されたパスワードを使用することによって、事業者のネットワークにアクセスする。ユーザ設定パラメータは、例えば、設定管理モジュール２０４に従って、ＳＴＡモジュール２０２によって保存された、固定ネットワークのＡＰのサービスセット識別子（ＳＳＩＤ）を含む。ユーザがインターネットに接続するためにＷＡＮ２を選択した場合、無線ルータは、ユーザによって設定されたダイヤルアップパラメータを使用することにより、モデムモジュール２０３を使用することによってモバイルネットワークに接続される。
【００４７】
ステップ４：無線ルータのルーティングモジュール２０５が、パケットの宛先アドレスに従ってパケットを転送する。具体的には、ルーティングモジュール２０５は、ＭＡＣアドレスに従って判定を実行し、宛先ＭＡＣアドレスがＭＡＣテーブル内にある場合、パケットをローカルネットワークに転送し、それ以外の場合、パケットをＩＰレイヤに送信する。ルーティングモジュールは、ＩＰレイヤ上の宛先ＩＰアドレスに従って判定を実行し、無線ルータ２０がアクセスされるべきである場合、パケットが処理されるように、パケットをトランスミッションレイヤに送信する。又は、ルーティングモジュールは、外部ネットワークがアクセスされるべきである場合、ＩＰデータパケットを、ＷＡＮインタフェースに送信する。ＩＰレイヤ上の宛先ＩＰアドレスに従った判定は、ＩＰレイヤ上のデータパケットの宛先ＩＰアドレスを解析し、宛先ＩＰアドレスをルータのＬＡＮインタフェースのＩＰアドレスと比較することを含む。
【００４８】
前述の処理プロセスを使用することにより、ユーザ端末は本発明の実施形態による無線ルータを使用することによって固定ネットワーク又はモバイルネットワークを選択してインターネットにアクセスすることが可能である。
【００４９】
本発明による無線ルーティング方法は、ユーザがインターネットにアクセスするために、ＷＬＡＮ  ＡＰ又は無線モデムを柔軟に選択することができないという問題を解決する。ユーザは、固定ネットワークのＷＬＡＮホットスポット、及び無線ネットワークによってカバーされる任意の場所においてインターネットにアクセスすることが可能となる。これにより、ユーザ端末のアクセス範囲が拡大される。本発明の実施形態による方法を使用することによって、ユーザは、ネットワークにアクセスするためにより低い料金を有する方法を選択することができる。これにより、ユーザに課される料金が減少する。
【００５０】
前述の実施形態は、本発明の技術的解決法を単に説明するために提供されたものであり、本発明を限定することを意図するものではない。本発明について、実施形態を参照して詳細に説明してきたが、実施形態において説明された技術的解決法に対して修正が行われてもよく、又は、技術的解決法におけるいくつかの技術的特徴に対して均等な置換が行われてもよい（そのような修正又は置換が、本発明の実施形態による技術的解決法の精神及び範囲から逸脱しない限り）ということを当業者は理解されたい。
【図１】
2014003676.tif 000003
【図２】
2014003676.tif 000004
【図３】
2014003676.tif 000005
【図４】
2014003676.tif 000006
【図５】
2014003676.tif 000007